(57)【要約】  本発明は、複数の機能的要素３０、４０を支持する少なくとも二つのメインポスト１０を含む高所での作業のための装置において、前記メインポスト１０が圧出によって具現されるプロファイルを具備し、機能的要素３０、４０の結合部１２、１４が形成されたメインポスト１０の少なくとも一つの外側表面１２、１４、及び連結要素６０、５０を収容するメインポスト１０の内部空間１１を具備することで、単一のポストプロファイル１０を組立てることにより、梯子、ステップ梯子、足場、または可動式プラットホームのような高所での作業のための拡張可能な装置を組立てることができることを特徴とする。本発明の装置は、高所での作業の時、安全性、時間節減、及び便宜性を提供する利点がある。
2007518908.tif 000002
【特許請求の範囲】
【請求項１】
複数の機能的要素３０、４０を支持する少なくとも二つのメインポスト１０を含む高所での作業のための装置において、前記メインポスト１０は圧出によって具現されるプロファイルを具備し、機能的要素３０、４０の結合部１２、１４が形成されたメインポスト１０の少なくとも一つの外側表面１２、１４、及び連結要素６０、５０を収容するメインポスト１０の内部空間１１を具備することで、単一のポストプロファイル１０を組立てることにより、梯子、ステップ梯子、橋場、または可動式プラットホームのような高所での作業のための拡張可能な装置を組立てることができることを特徴とする、複数の機能的要素３０、４０を支持する少なくとも二つのメインポスト１０を含む高所での作業のための装置。
【請求項２】
前記外側表面１２、１４は少なくとも二つであり、それぞれの外側表面は前記機能的要素３０、４０の形態と相補的な空間を具備する結合用リーブ１２、１３、１４を含むことを特徴とする、請求項１に記載の複数の機能的要素３０、４０を支持する少なくとも二つのメインポスト１０を含む高所での作業のための装置。
【請求項３】
前記連結要素６０は、例えば輪状締結（ｅｎｃｉｒｃｌｉｎｇ）またはスタンピング（ｓｔａｍｐｉｎｇ）のような前記組立体プロファイル１０上に加えられる外圧によって前記組立体プロファイル１０に固定されることを特徴とする、請求項１に記載の複数の機能的要素３０、４０を支持する少なくとも二つのメインポスト１０を含む高所での作業のための装置。
【請求項４】
ねじ５５を締結する工具が通過するように、前記表面１２、１４の側壁に孔５６を含むことを特徴とする、請求項１に記載の複数の機能的要素３０、４０を支持する少なくとも二つのメインポスト１０を含む高所での作業のための装置。
【請求項５】
ラックを具備するとともに、ロッキング装置６２によって前記プロファイル１０に固定されている連結要素６０上に前記組立体プロファイル１０を位置させることにより、二つの組立体プロファイル１０間の距離を調節することができることを特徴とする、請求項１に記載の複数の機能的要素３０、４０を支持する少なくとも二つのメインポスト１０を含む高所での作業のための装置。
【請求項６】
連結要素６０は、固定ハウジング５１によって複数の連結要素を支持することができる、梯子ポストの高さを支持するブレース５０であり、前記複数の連結要素によって、ステップ梯子はリアポストに対して垂直に配置された組立体プロファイルを具備する二つのフロントポスト１０ａを具備することを特徴とする、請求項１に記載の複数の機能的要素３０、４０を支持する少なくとも二つのメインポスト１０を含む高所での作業のための装置。
【請求項７】
前記高所での作業のためのプラットホーム５６は前記メインポスト１０上に装着された連結ブレース５０によって装着されることを特徴とする、請求項１に記載の複数の機能的要素３０、４０を支持する少なくとも二つのメインポスト１０を含む高所での作業のための装置。
【請求項８】
メインポスト１０ａ及びリアメインポストを含む高所での作業のための装置において、前記フロントポスト及びリアポスト１０ａは請求項１の組立体プロファイル１０を利用して具現されるとともに、他の方向に、例えば本質的に垂直な方向に装着されることを特徴とする、複数の機能的要素３０、４０を支持する少なくとも二つのメインポスト１０を含む高所での作業のための装置。
【請求項９】
フロント機能１０ａを具備するメインポスト１０ｂ、１１０ｃ及びリア機能１０ｂを具備するメインポストを含む可動式の高所での作業のための装置において、メインポストは、第１内部空間１１内にホイール軸を挿入固定し、第２内部空間１１にスタンド制動装置を挿入固定することを特徴とする、複数の機能的要素３０、４０を支持する少なくとも二つのメインポスト１０を含む高所での作業のための装置。
【発明の詳細な説明】
【技術分野】
【０００１】
本発明は高所で作業するために使用する装置、及びその装置のメインポスト（ｍａｉｎ  ｐｏｓｔ）に関するものである。本発明は、本発明による前記メインポスト上に装着された、二つのポストを具備した単純梯子を始めとして、プラットホームを具備した梯子、ステップ梯子、及び可動式ステップ梯子に至る機能的要素によって成功的に実現される。本発明は、高所での作業の時、安全性、時間節減及び便宜性の面での利点を提供する。本発明は建設事業及び多様な作業時に有用性が証明されるであろう。
【背景技術】
【０００２】
従来、高所で作業するのに使用する多数の装置が知られている。最もよく知られているものは梯子である。また、例えば、プラットホーム、ステップ梯子及び可動式ステップ梯子を具備した梯子も知られている。現在、前記装置に存在するか、あるいは解決されなかった課題は、高所での作業時に直面するすべての状況に適応することができる実在的で安全な拡張装置を提供することである。
【０００３】
公知の梯子またはステップ梯子のメインポストは、長方形または円形のプロファイルを持っている。これらプロファイルは多くの問題点を内包している。よって、本発明は、より安全で、用途が多様で、より容易に高さを調節することができるプロファイルを提案する。
【発明の開示】
【０００４】
本発明の目的は、複数の組立機能に適用させることができる組立プロファイルから最も便利な形態を持つ作業用装置を迅速で容易に組立てることができ、特に高所での作業のための拡張可能な装置に対して考案した組立装置を提供することである。
【０００５】
本発明の目的は、迅速な組立及び分解が可能で、強固であり、外部の装着要素と結合して使用することができる組立プロファイルを提案することである。
【０００６】
本発明の目的は、経済性のある組立プロファイルを提案することである。その例を挙げると、アルミニウムのような材料を圧出して製造したものである。
【０００７】
本発明の目的は、梯子ポストの第1機能、ステップ梯子用ポストの第２機能、補強格子、装置、またはステップのような高所での作業のための装置と結合して使用する機能的要素のための装着支持体の第３機能、前記拡張の可能な装置が可動式プラットホームである時、ホイールシャフトを支持及び制動するための結合装置の第４機能のような少なくとも４機能に適合させることができる組立プロファイルを提案することである。
【０００８】
本発明の目的は、任意の形態または任意の長さに組立てることができる組立プロファイルを提供することである。よって、本発明は、前記組立プロファイルを一直線状に連結することができる直線型連結要素、前記組立プロファイルを所定の角度で連結することができる角を成す連結要素、及び外部の要素と連結することができる外部連結要素を具備する。
また、本発明は、前記プロファイルのすべての連結要素の寸法を最小化する。前記メインポストの母体組立プロファイルは溝を具備する外面及び内面を含み、前記機能的要素の補完プロファイルは前記母体組立プロファイルに容易に結合されるようになっている。前記自体組立プロファイルは、例えば、梯子形の場合、梯子ステップ、または可動式ステップ梯子形の場合、可動式ステップ梯子方向の方向性案内ハンドルである。
【０００９】
本発明の目的は、ポスト部材、連結部材、及び前記ポストを補完する部材を具備する組立体を提供することである。これら部材は、例えば、ハンドル、ホイール、カラー、調節ノブ、またはチューブキャップのような１組のプラスチック鋳物を利用して、ねじなどを使わないで容易に連結することができる。前記プラスチック部材は、アルミニウムポストと互換することができる。
【発明を実施するための最良の形態】
【００１０】
図１は本発明によるメインポスト１０の組立プロファイルを示す平断面図である。この組立体プロファイルは、アルミニウムを圧出して製作することにより、所定の軸線に沿って一定のプロファイルを持つことが望ましい。前記組立体プロファイルは、四つの脚で構成されたステップ梯子（図８ｃ及び図８ｄ参照）または二つの脚で構成された梯子（図８ａ及び図８ｂ参照）のような高所での作業のための装置のメインポストのプロファイルとしての機能を持つ。前記組立体プロファイル１０は長方形を持つ。前記組立体プロファイルは、その長手方向に二つの主面（ｍａｉｎ  ｆａｃｅ）を持つ。
第１面には一連のリーブ１２、１３が具備され、第２面は本質的に平面１４である。前記第１面１２、１３の一連のリーブは、二つのリーブ１２、１３間に特定の距離（Ｌ）がある。この距離は、図２のステップ３０の高さ（Ｌ）と対応する距離である。前記組立体プロファイル１０は中空体で、その長さの両端部のそれぞれに位置する二つの内部空間１１を含んでいる。これら内部空間は長さの約１／３を占有している。この実施例において、前記内部空間１１は円形の空洞部である。前記内部空間の機能は、前記プロファイル組立体の複数の連結要素６０を収容することである。
前記連結要素の水準で、前記プロファイルが補強されることにより、従来の技術による梯子に比べて、堅固性に優れた構造物を得ることができる。前記連結要素の他の利点は、所定の長さを有する複数の連結要素を配列することにより、所定の高さまで梯子の長さを容易に増大させることができるという点である。
実際に、ある状況では、二つの連続した組立体プロファイルを連結する必要がない。このような前記連結要素の機能は、特に図５及び図６に示されている。よって、前記組立体プロファイルは、二つの側方向連結面１２、１３、１４及び連結要素のための二つの内部空間１１を具備する。または、前記亜鈴形態のプロファイルは、側方向及び縦方向に加えられる外力に抵抗することができる十分な堅固性を付与する。
二つの実質的な円形空間を具備する図８に示す形状のプロファイルによって、第１内部空間はホイールの軸線の機能をし、第２内部空間はホイール制動装置のスタンドの機能をすることができる。図２は本発明によるステップ３０の断面図である。図６の上面図及び図７の側面図に示すように、前記ステップ３０は二つの組立プロファイル１０間に結合されている。
前記ステップ３０はアルミニウムを圧出またはその他の工法を利用して製作することができ、少しの傾斜を成す略平行六面体の一定のプロファイルを持つ。前記ステップ３０の厚さは側面３１の長さ（Ｌ）と同一であるので、前記ステップは前記組立体プロファイル１０の一連のリーブに結合されることになる。
【００１１】
前記ステップ３０の上面３２には、使用者の足が滑ることを防止する鋸歯を形成することができる。前記ステップ３０には、このステップ３０を支持するねじのための縦方向への内部空間３３が形成されている。前記ねじは、前記組立体プロファイル１０に形成された孔（図５の符号５６）に固定される。
図３及び図４は、前記組立体プロファイル上の要素の結合状態を示す、可動ステップ梯子の方向性案内ハンドル４０の上面図及び側面図である。前記方向性案内ハンドル４０は略長円形スティック形態のもので、このハンドルの中央には、前記可動式ステップ梯子の操作ハンドルの軸の貫通路４１が設けられている。
【００１２】
前記方向性案内ハンドル４０の両端部には、前記組立体プロファイルの平面１２、１３と相補の関係にあるプロファイル４２が具備されているので、前記ポストは前記組立体プロファイル１０に強固に結合することができる。
図５ａは梯子のポストを構成する組立体プロファイル１０の直線上に装着されたブレース５０を具備する組立体の側面図である。使用者は、ポストの高さを増大させようとする場合、組立体要素６０を前記内部空間１１に設置（図６参照）した後、このポスト６０上に、第２組立体プロファイルの第２端部を設置すれば良い。前記組立体プロファイル間の連結は、ロッキング装置６２によって提供されたリング６１によってなる。
また、前記組立体プロファイル１０の両側面１２、１４には、使用者の必要に応じて他の要素を強固に付着させるためのねじまたは工具５５を通過させることができる孔５６を形成することができる。前記ブレースの機能は、前記梯子ポストの高さを固定するとともに、固定マウント５１によって複数の連結要素を支持することである。
前記複数の連結要素は、ステップ梯子（図８ｃ参照）が図５に示すようにＹ方向に位置する二つのフロントポスト１０ａを具備し、図７の方向に二つのリアポストを具備するように、前記組立体プロファイル１０に装着される。図５ｂは、ラックを具備するとともにロッキング装置６２によって前記組立体プロファイル１０に固定されている組立体要素６０上に前記組立体プロファイル１０を位置させることで、二つの組立体プロファイル１０間の距離を調節する方法を示すものである。
図５ｂにおいて、前記二つの組立体プロファイル１０は連結されていないが、前記ラック６０の組立体要素を固定することにより整列状態で固定されている。図８ａ、図８ｂ、図８ｃ、及び図８ｄは、本発明による組立体の多様な拡張可能な形態を示すものである。
【００１３】
図８ａは二つのフロントポストを具備した単純形の梯子を示すものである。
図８ａは本発明の技術分野に知られた伝統的な形態の梯子を示す。
図８ｂは本発明の第１実施例による上部の作業用プラットホームを具備している梯子を示すものである。
【００１４】
前記上部の作業用プラットホームの機能は壁から梯子を離隔させることで、従来の梯子とは異なり、作業者は梯子の最大の高さでも顔が壁面に接近しない状態で作業を行うことができるようにするものである。
【００１５】
足場５６は、前記組立体１０から作られたフロントポスト上に装着されている図５に示すブレース５０によって装着されている。
【００１６】
図８ｃはフロントポスト１０ａ及び垂直に指向するリアポストが最も堅固な状態に配置されているステップ梯子である。
【００１７】
前記ステップ梯子を具現するため、作業者は、図８ｄに示すように、両ポストが同一方向に指向しないように、組立体プロファイル１０に具現されている図８ｂの梯子にポストを組立てる。図８ｄは、図３に示すように、フロントポストが方向案内ハンドル４０を支持している最も進歩した形態の可動式ステップ梯子を示す。
【００１８】
前記組立体プロファイル１０の第１内部空間１１内にはホイール軸が収容され、第２内部空間内にはスタンド制動装置が収容される。
【００１９】
図８ｄは可動式ステップ梯子を示すもので、この可動式ステップ梯子は、操作ハンドル８２、ステップ梯子の前方に装着された作業用プラットホーム８１、必要時に前記ステップ梯子のホイールを上昇させることができるホイール支持体８０、及び前記ステップ梯子の高さを６ｍまで実現することができるステップ梯子８３の補強格子構造を具備している。
【００２０】
この組立体を形成するため、複数の仕上げ用部材が使われる。仕上げ部材は図２ｂ〜図２ｚに示されている。
【００２１】
図２ｂ及び図２ｃは組立体の固定に必要な二つのチューブ型ロッキングカラーの平面図、
図２ｄ〜図２ｈは複数のチューブプロファイルの平面図である。特定のチューブは他のチューブと結合され、抵抗特性及び最適のスライディングを同時に可能にする相補的なプロファイルを持つ。
図２ｉは組立体ジョイントの斜視図、
図２ｊは雌型ハンドルの斜視図、
図２ｋは円形チューブ用キャップの斜視図、
図２ｌは小型のロッキングホイールの斜視図、
図２ｍは前記格子構造が特定の状況で特定のロッキング拘束状態になることを防止するための前記プロファイルのためのスライディング部材の斜視図、
図２ｎはジョイントの斜視図、
図２０はカラーの斜視図、
図２ｐは作業者用ハンドルの斜視図で、
図２ｑはフットペダルを具備した可動式プラットホーム用ペダルの斜視図、
図２ｒはカラーの斜視図、
図２ｓはホイールの斜視図である。前記ホイールはステップ梯子及び可動式プラットホームの実施例に有用である。
図２ｔはジョイント部材の斜視図、
図２ｕはベース接合部材の斜視図、
図２ｖは長方形チューブキャップの斜視図、
図２ｗはホイールブロッキング部材の斜視図、
図２ｘはチューブキャップの斜視図、
図２ｙは短ラックの斜視図である。
【００２２】
したがって、作業者は、単純形の梯子、プラットホーム梯子、単純形のステップ梯子または可動型ステップ梯子を必要に応じて容易に構成するように、複数の連結要素６０及び組立体プロファイル１０を受けることができる。
【００２３】
本発明は、複数の機能的要素３０、４０を支持する少なくとも二つのメインポスト１０を含む高所での作業のための装置において、前記メインポスト１０が、圧出によって具現されるプロファイルを具備し、機能的要素３０、４０の結合部１２、１４が形成されたメインポスト１０の少なくとも一つの外側表面１２、１４、及び連結要素６０、５０を収容するメインポスト１０の内部空間１１を具備することで、単一のポストプロファイル１０を組立てることにより、梯子、ステップ梯子、足場、または可動式プラットホームのような高所での作業のための拡張可能な装置を組立てることができることを特徴とする、少なくとも二つのメインポスト１０を含む高所での作業のための装置に関するものである。
【００２４】
本発明は、前記外側表面１２、１４が少なくとも二つであり、それぞれの外側表面は前記機能的要素３０、４０の形態と相補的な空間を具備する結合用リーブ１２、１３、１４を含むことを特徴とする少なくとも二つのメインポスト１０を含む高所での作業のための装置に関するものである。
【００２５】
本発明は、前記連結要素６０が、例えば輪状締結（ｅｎｃｉｒｃｌｉｎｇ）またはパンクチャリング（ｐｕｎｃｔｕｒｉｎｇ）のような前記組立体プロファイル１０上に加えられる外圧によって前記組立体プロファイル１０に固定されることを特徴とする、少なくとも二つのメインポスト１０を含む高所での作業のための装置に関するものである。
【００２６】
本発明は、ねじ５５を締結する工具が通過するように、前記表面１２、１４の側壁に孔５６を含むことを特徴とする、複数の機能的要素３０、４０を支持する少なくとも二つのメインポスト１０を含む高所での作業のための装置に関するのである。
【００２７】
本発明は、ラックを具備するとともに、ロッキング装置６２によって前記プロファイル１０に固定されている連結要素６０上に前記組立体プロファイル１０を位置させることにより、二つの組立体プロファイル１０間の距離を調節することができることを特徴とする、複数の機能的要素３０、４０を支持する少なくとも二つのメインポスト１０を含む高所での作業のための装置に関するものである。
【００２８】
本発明は、連結要素６０が、固定ハウジング５１によって複数の連結要素を支持することができる、梯子ポストの高さを支持するブレース５０であり、前記複数の連結要素によって、ステップ梯子はリアポストに対して垂直に配置された組立体プロファイルを具備する二つのフロントポスト１０ａを具備することを特徴とする、複数の機能的要素３０、４０を支持する少なくとも二つのメインポスト１０を含む高所での作業のための装置に関するものである。
【００２９】
本発明は、前記高所での作業のためのプラットホーム５６が前記メインポスト１０上に装着された連結ブレース５０によって装着されることを特徴とする、複数の機能的要素３０、４０を支持する少なくとも二つのメインポスト１０を含む高所での作業のための装置に関するものである。
【００３０】
本発明は、メインポスト１０ａ及びリアメインポストを含む高所での作業のための装置において、前記フロントポスト及びリアポスト１０ａが請求項１の組立体プロファイル１０を利用して具現されるとともに、他の方向に、例えば本質的に垂直な方向に装着されることを特徴とする、複数の機能的要素３０、４０を支持する少なくとも二つのメインポスト１０を含む高所での作業のための装置に関するものである。
【００３１】
本発明は、フロント機能１０ａを具備するメインポスト１０ｂ、１１０ｃ及びリア機能１０ｂを具備するメインポストを含む可動式の高所での作業のための装置において、メインポストが、第１内部空間１１内にホイール軸を挿入固定し、第２内部空間１１にスタンド制動装置を挿入固定することを特徴とする、複数の機能的要素３０、４０を支持する少なくとも二つのメインポスト１０を含む高所での作業のための装置に関するものである。
本発明は後述する請求範囲から逸脱しない範囲内で多様な変更が可能である。
【図面の簡単な説明】
【００３２】
添付図面は本発明の特定実施例を示す。
【図１】は本発明によるメインポストプロファイルの平断面図、
【図２ａ】は本発明によるステップの断面図、
【図２ｂ】は可動式プラットホームの構成に利用することができる多様な付加の部材を示す図、
【図２ｃ】は可動式プラットホームの構成に利用することができる多様な付加の部材を示す図、
【図２ｄ】は可動式プラットホームの構成に利用することができる多様な付加の部材を示す図、
【図２ｅ】は可動式プラットホームの構成に利用することができる多様な付加の部材を示す図、
【図２ｆ】は可動式プラットホームの構成に利用することができる多様な付加の部材を示す図、
【図２ｇ】は可動式プラットホームの構成に利用することができる多様な付加の部材を示す図、
【図２ｈ】は可動式プラットホームの構成に利用することができる多様な付加の部材を示す図、
【図２ｉ】は可動式プラットホームの構成に利用することができる多様な付加の部材を示す図、
【図２ｊ】は可動式プラットホームの構成に利用することができる多様な付加の部材を示す図、
【図２ｋ】は可動式プラットホームの構成に利用することができる多様な付加の部材を示す図、
【図２ｌ】は可動式プラットホームの構成に利用することができる多様な付加の部材を示す図、
【図２ｍ】は可動式プラットホームの構成に利用することができる多様な付加の部材を示す図、
【図２ｎ】は可動式プラットホームの構成に利用することができる多様な付加の部材を示す図、
【図２ｏ】は可動式プラットホームの構成に利用することができる多様な付加の部材を示す図、
【図２ｐ】は可動式プラットホームの構成に利用することができる多様な付加の部材を示す図、
【図２ｑ】は可動式プラットホームの構成に利用することができる多様な付加の部材を示す図、
【図２ｒ】は可動式プラットホームの構成に利用することができる多様な付加の部材を示す図、
【図２ｓ】は可動式プラットホームの構成に利用することができる多様な付加の部材を示す図、
【図２ｔ】は可動式プラットホームの構成に利用することができる多様な付加の部材を示す図、
【図２ｕ】は可動式プラットホームの構成に利用することができる多様な付加の部材を示す図、
【図２ｖ】は可動式プラットホームの構成に利用することができる多様な付加の部材を示す図、
【図２ｗ】は可動式プラットホームの構成に利用することができる多様な付加の部材を示す図、
【図２ｘ】は可動式プラットホームの構成に利用することができる多様な付加の部材を示す図、
【図２ｙ】は可動式プラットホームの構成に利用することができる多様な付加の部材を示す図、
【図３】及び
【図４】は組立体プロファイル上に一つの要素を結合したものを説明する可動式ステップ梯子の方向性案内ハンドルの平面図及び側面図、
【図５ａ】及び
【図５ｂ】は一つの組立体プロファイルの一直線状のプロファイル組立体の二つの切欠側面図、
【図６】は本発明によるステップを具備した組立体を示す上面図、
【図７】は本発明によるステップ梯子の組立体を示す側面図、及び
【図８ａ】、
【図８ｂ】、
【図８ｃ】、及び
【図８ｄ】は本発明による拡張可能な他の組立体を示す図である。
【図１】
2007518908.tif 000003
【図２ａ】
2007518908.tif 000004
【図２ｂ】
2007518908.tif 000005
【図２ｃ】
2007518908.tif 000006
【図２ｄ】
2007518908.tif 000007
【図２ｅ】
2007518908.tif 000008
【図２ｆ】
2007518908.tif 000009
【図２ｇ】
2007518908.tif 000010
【図２ｈ】
2007518908.tif 000011
【図２ｉ】
2007518908.tif 000012
【図２ｊ】
2007518908.tif 000013
【図２ｋ】
2007518908.tif 000014
【図２ｌ】
2007518908.tif 000015
【図２ｍ】
2007518908.tif 000016
【図２ｎ】
2007518908.tif 000017
【図２ｏ】
2007518908.tif 000018
【図２ｐ】
2007518908.tif 000019
【図２ｑ】
2007518908.tif 000020
【図２ｒ】
2007518908.tif 000021
【図２ｓ】
2007518908.tif 000022
【図２ｔ】
2007518908.tif 000023
【図２ｕ】
2007518908.tif 000024
【図２ｖ】
2007518908.tif 000025
【図２ｗ】
2007518908.tif 000026
【図２ｘ】
2007518908.tif 000027
【図２ｙ】
2007518908.tif 000028
【図３】
2007518908.tif 000029
【図４】
2007518908.tif 000030
【図５ａ】
2007518908.tif 000031
【図５ｂ】
2007518908.tif 000032
【図６】
2007518908.tif 000033
【図７】
2007518908.tif 000034
【図８ａ】
2007518908.tif 000035
【図８ｂ】
2007518908.tif 000036
【図８ｃ】
2007518908.tif 000037
【図８ｄ】
2007518908.tif 000038
【国際調査報告】
2007518908.tif 000039
2007518908.tif 000040
2007518908.tif 000041
2007518908.tif 000042
2007518908.tif 000043
2007518908.tif 000044